(57)【要約】【課題】簡易な処理で複数ビットの情報を表現することのできる磁性体タグおよび磁性体タグを用いた情報表現方法を提供する。【解決手段】予め所定の形状に加工された磁性体１０を含んで構成される磁性体タグ４の磁性体１０を任意の位置で磁気的に分離し、磁歪振動の周波数特性等の異なる複数の磁性体を有する磁性体タグを生成する。磁性体１０の磁気的な分離は、磁性体１０自体の切断や、キュリー点温度以上への加熱による磁化特性の喪失、硬磁性体の付着等による飽和磁化を与える磁界の印加等により行う。【選択図】        図５
2004288006.tif 000002
【特許請求の範囲】
【請求項１】
磁性体を含んで構成され、交番磁界内で磁気的な応答を発する磁性体タグにおいて、
少なくとも１片の磁性体を含むタグとして製造された後に、前記磁性体が磁気的に分離されたことを特徴とする磁性体タグ。
【請求項２】
前記磁性体の一部が切断され、該切断により該磁性体が磁気的に分離されていることを特徴とする請求項１記載の磁性体タグ。
【請求項３】
前記磁性体の一部の磁気特性が変質され、該変質により該磁性体が磁気的に分離されていることを特徴とする請求項１記載の磁性体タグ。
【請求項４】
前記磁性体の一部が加熱により磁気特性を喪失していることを特徴とする請求項３記載の磁性体タグ。
【請求項５】
前記磁性体の一部に硬磁性体が付着され、該硬磁性体により該磁性体の一部が磁気飽和していることを特徴とする請求項３記載の磁性体タグ。
【請求項６】
前記硬磁性体は、
硬磁性粉を含むトナーであり、
画像形成装置により前記トナーが前記磁性体の一部に付着された
ことを特徴とする請求項５記載の磁性体タグ。
【請求項７】
磁性体を含んで構成され、交番磁界内で磁気的な応答を発する磁性体タグにおいて、
少なくとも１片の磁性体と、
前記磁性体の磁気的な分割により多値情報を表現する際の分割位置の特定を補助する補助手段と
を具備することを特徴とする磁性体タグ。
【請求項８】
前記補助手段は、
前記磁性体の切断位置を示す切断線であることを特徴とする請求項７記載の磁性体タグ。
【請求項９】
前記補助手段は、
前記磁性体の特定の位置を示す符号であることを特徴とする請求項７記載の磁性体タグ。
【請求項１０】
磁性体を含んで構成され、交番磁界内で磁気的な応答を発する磁性体タグにおいて、
少なくとも１片の磁性体と、前記磁性体を支持する非磁性体とが積層され、
前記磁性体の外周部が前記非磁性体と接着されている
ことを特徴とする磁性体タグ。
【請求項１１】
磁性体を含んで構成され、交番磁界内で磁気的な応答を発する磁性体タグを用いた情報表現方法において、
磁性体タグに含まれる磁性体を磁気的に分離し、該分離した磁性体のそれぞれに交番磁界内で異なる磁気的応答をさせ、該磁気的応答の相違で情報を表現することを特徴とする磁性体タグを用いた情報表現方法。
【請求項１２】
前記磁性体の一部を切断し、該切断により該磁性体を磁気的に分離することを特徴とする請求項１１記載の磁性体タグを用いた情報表現方法。
【請求項１３】
前記磁性体の一部の磁気特性を変質し、該変質により該磁性体を磁気的に分離することを特徴とする請求項１１記載の磁性体タグを用いた情報表現方法。
【請求項１４】
前記磁性体の一部を加熱し、該加熱により磁気特性を喪失させることを特徴とする請求項１３記載の磁性体タグを用いた情報表現方法。
【請求項１５】
前記磁性体の一部に硬磁性体を付着し、該硬磁性体により該磁性体の一部を磁気飽和させることを特徴とする請求項１３記載の磁性体タグを用いた情報表現方法。
【請求項１６】
前記硬磁性体は、
硬磁性粉を含むトナーであり、
画像形成装置により前記トナーを前記磁性体の一部に付着させる
ことを特徴とする請求項１５記載の磁性体タグを用いた情報表現方法。
【発明の詳細な説明】
【０００１】
【発明の属する技術分野】
この発明は、磁性体タグおよび磁性体タグを用いた情報表現方法に関し、特に、複数ビットの情報を表現する磁性体タグおよび磁性体タグを用いた情報表現方法に関する。
【０００２】
【従来の技術】
近年、バーコード等の符号を用いて文書管理や流通管理を行う事例が増加している。バーコードは、複数ビットで表現される情報を容易に取り扱うことができ、様々な場面での利用が可能である。その反面、バーコードは、その近傍でしか読み取ることができないため、情報を読み取るための位置的な構成に制限が生じる場合がある。
【０００３】
一方、磁性体が有する磁歪振動効果や大バルクハウゼン効果を利用した磁性体タグは、一定の距離から情報を読み取ることができるため、情報を読み取るための位置的な構成に対する制限は、比較的少ないと言える。
【０００４】
磁性体タグの多くは、１ビットの情報のみを表しており、このような磁性体タグでは、その有無を検出する等の単純な利用に限定されることが多い。
【０００５】
このため、複数ビットを表現することのできる磁性体タグが望まれており、これを実現する技術として、磁歪性を有する金属板と硬磁性金属板を積層して磁性体タグを構成したものがある。磁歪性を有する金属板は１枚で矩形の形状を有しており、交番磁界中でこの形状に対応する共振周波数で磁歪振動する。そして、硬磁性金属板を分割磁化することで、複数周波数での振動を可能とし、多ビット表現を可能としている（例えば、特許文献１参照）。
【０００６】
また、基板にクランプされた長さの異なる複数のアームで多ビット情報表現を行なうものもある（例えば、特許文献２参照）。
【０００７】
【特許文献１】
特開平７−１１０８５２号公報
【特許文献２】
特開平８−２４９４３０号公報
【０００８】
【発明が解決しようとする課題】
しかしながら、従来の技術による複数ビットを表現することの磁性体タグは、任意の情報を表現させようとする場合に、その処理工程が繁雑となる可能性がある。例えば、特許文献１に記載の技術では、磁気ヘッド等の硬磁性金属板を分割磁化するための構成が必要であり、当然のことながら分割磁化を行うための時間も要することとなる。
【０００９】
そこで、この発明は、簡易な処理で複数ビットの情報を表現することのできる磁性体タグおよび磁性体タグを用いた情報表現方法を提供することを目的とする。
【００１０】
【課題を解決するための手段】
上述した目的を達成するため、請求項１の発明は、磁性体を含んで構成され、交番磁界内で磁気的な応答を発する磁性体タグにおいて、少なくとも１片の磁性体を含むタグとして製造された後に、前記磁性体が磁気的に分離されたことを特徴とする。
【００１１】
また、請求項２の発明は、請求項１の発明において、前記磁性体の一部が切断され、該切断により該磁性体が磁気的に分離されていることを特徴とする。
【００１２】
また、請求項３の発明は、請求項１の発明において、前記磁性体の一部の磁気特性が変質され、該変質により該磁性体が磁気的に分離されていることを特徴とする。
【００１３】
また、請求項４の発明は、請求項３の発明において、前記磁性体の一部が加熱により磁気特性を喪失していることを特徴とする。
【００１４】
また、請求項５の発明は、請求項３の発明において、前記磁性体の一部に硬磁性体が付着され、該硬磁性体により該磁性体の一部が磁気飽和していることを特徴とする。
【００１５】
また、請求項６の発明は、請求項５の発明において、前記硬磁性体は、硬磁性粉を含むトナーであり、画像形成装置により前記トナーが前記磁性体の一部に付着されたことを特徴とする。
【００１６】
また、請求項７の発明は、磁性体を含んで構成され、交番磁界内で磁気的な応答を発する磁性体タグにおいて、少なくとも１片の磁性体と、前記磁性体の磁気的な分割により多値情報を表現する際の分割位置の特定を補助する補助手段とを具備することを特徴とする。
【００１７】
また、請求項８の発明は、請求項７の発明において、前記補助手段は、前記磁性体の切断位置を示す切断線であることを特徴とする。
【００１８】
また、請求項９の発明は、請求項７の発明において、前記補助手段は、前記磁性体の特定の位置を示す符号であることを特徴とする。
【００１９】
また、請求項１０の発明は、磁性体を含んで構成され、交番磁界内で磁気的な応答を発する磁性体タグにおいて、少なくとも１片の磁性体と、前記磁性体を支持する非磁性体とが積層され、前記磁性体の外周部が前記非磁性体と接着されていることを特徴とする。
【００２０】
また、請求項１１の発明は、磁性体を含んで構成され、交番磁界内で磁気的な応答を発する磁性体タグを用いた情報表現方法において、磁性体タグに含まれる磁性体を磁気的に分離し、該分離した磁性体のそれぞれに交番磁界内で異なる磁気的応答をさせ、該磁気的応答の相違で情報を表現することを特徴とする。
【００２１】
また、請求項１２の発明は、請求項１１の発明において、前記磁性体の一部を切断し、該切断により該磁性体を磁気的に分離することを特徴とする。
【００２２】
また、請求項１３の発明は、請求項１１の発明において、前記磁性体の一部の磁気特性を変質し、該変質により該磁性体を磁気的に分離することを特徴とする。
【００２３】
また、請求項１４の発明は、請求項１３の発明において、前記磁性体の一部を加熱し、該加熱により磁気特性を喪失させることを特徴とする。
【００２４】
また、請求項１５の発明は、請求項１３の発明において、前記磁性体の一部に硬磁性体を付着し、該硬磁性体により該磁性体の一部を磁気飽和させることを特徴とする。
【００２５】
また、請求項１６の発明は、請求項１５の発明において、前記硬磁性体は、硬磁性粉を含むトナーであり、画像形成装置により前記トナーを前記磁性体の一部に付着させることを特徴とする。
【００２６】
【発明の実施の形態】
以下、この発明に係る磁性体タグおよび磁性体タグを用いた情報表現方法の一実施の形態について、添付図面を参照して、詳細に説明する。
【００２７】
図１は、この発明を適用した磁性体タグを示した図であり、同図（ａ）および同図（ｄ）は、磁性体タグの上面を示した図であり、同図（ｂ）および同図（ｃ）は、磁性体タグの側面を示した図である。
【００２８】
同図（ａ）および同図（ｂ）に示す磁性体タグ１は、当初、板状の磁性体１０により構成される。磁性体１０は、磁歪振動効果若しくは大バルクハウゼン効果を起こす特性を有している。
【００２９】
磁性体タグ１の利用時には、磁性体１０を磁気的に複数に分離し、分離後の磁性体１０の特性により、複数ビットの情報を表す。磁性体１０が磁歪振動効果を起こす特性を有するものであれば、その磁性体１０の分離により、交番磁界中における共振周波数が複数種類となり、磁性体１０が大バルクハウゼン効果を起こす特性を有するものであれば、その磁性体１０の分離により、交番磁界中における磁化反転のタイミングが複数となる。
【００３０】
また、磁性体タグは、図１（ｃ）に示す磁性体タグ２のように、磁性体１０を非磁性体である支持体１１と積層されるように構成してもよい。支持体１１は、磁性体１０が磁歪特性を有するものである場合には、空気が混入された発泡性の材料を利用することで、磁性体１０の振動の減衰を防止することができる。もちろん、支持体１１を他の材料で構成した場合でも、磁歪振動が消滅することはない。磁性体１０が大バルクハウゼン効果を起こすものである場合には、支持体１１をどのような材料で構成してもよい。
【００３１】
また、磁性体タグは、図１（ｄ）に示す磁性体タグ３のように、磁性体１０上に、磁気的な分離を行う際の目安となる分離線１２を付すように構成してもよい。
【００３２】
次に、磁性体１０の磁気的な分離について説明する。図２および図３は、磁性体１０の磁気的な分離を説明するための図である。
【００３３】
磁性体１０は、図２（ａ）に示すように、複数の領域１３−１、１３−２、１３−３に分離したり、図３（ａ）に示すように、領域１３−４、１３−５、１３−６、１３−７、１３−８、１３−９に分離することができる。分離の方向は、ここに示したようなものに限らず、斜め方向に分離したり曲線状に分離する等、任意に分離することができる。
【００３４】
磁性体１０を磁気的に分離する最も単純な方法としては、磁性体１０の切断である。磁性体１０を切断する方法としては、ブレードを利用した機械的な切断や、超音波による切断、レーザ光による切断が考えられる。また、カッター等を利用して人手による切断も可能であり、人手による切断を行う場合には、図１（ｄ）に示した磁性タグ３のように、分離線１２が付されたものを利用することで、容易に所望の値を表現する磁性タグを生成することができる。
【００３５】
また、磁性体１０を切断する場合、図１（ａ）に示したような磁性体タグ１では、切断後に磁性体１０がばらばらとなってしまうことがある。これを防止するには、磁性体タグ１を用紙や箱等に貼り付けた後に切断を行うか、図２（ｃ）に示すように、磁性体１０をメッシュ状に切断する。図１（ｃ）に示した磁性体タグ２の場合には、図２（ｄ）に示すように、磁性体１０のみを切断し、支持体１１を切断しないことで、磁性体１０がばらばらとなることを防止することができる。
【００３６】
また、磁性体１０を磁気的に分離する他の方法としては、磁性体１０の分離を行う部分の磁歪特性を喪失させる方法がある。磁歪特性は、図３（ａ）に示すように、飽和磁化を与える磁界Ｈｓ以上の磁界を印加すると、磁歪自体も飽和し、交番磁界を印可しても、磁歪の変化が生じなくなる。また、大バルクハウゼン効果の場合も、飽和磁化を与える磁界以上の磁界が印加された場合には、交番磁界中での磁化反転が生じなくなる。
【００３７】
磁性体１０の一部分の磁歪特性を喪失させる方法としては、該当部分に硬磁性材料を接触若しくは近接させる方法やワイヤ等に電流を流して飽和磁化を与える磁界を印加する方法等がある。また、該当部分をキュリー点以上に加熱し、磁化特性を喪失させて、磁歪特性を喪失させてもよい。
【００３８】
磁性体１０に硬磁性材料を接触若しくは近接させる場合、硬磁性粉を含むインクやトナーを用意し、これらをプリンタや複写機等を利用して磁性体１０に付着させるようにすることで、容易に所望の情報を表す磁性体タグを生成することができる。また、プリンタや複写機等を利用して磁性体１０に硬磁性体を付着させる場合には、図３（ｂ）に示すように、磁性体１０を保護層１４で保護し、その上に硬磁性体１５を付着させることで、硬磁性体１５の付着具合を良好とし、磁性体１０を保護することができる。なお、図３（ｂ）において、符号１０Ａで示す部分は、磁性体１０のうち、硬磁性体１５により磁歪特性が喪失される部分である。
【００３９】
次に、磁性体を予め所定の形状に加工し、加工された磁性体を磁気的に分離することで複数ビットの情報を表現する磁性体タグについて説明する。
【００４０】
図４は、磁性体を予め所定の形状に加工した磁性体タグを示した図である。同図に示すように、磁性体タグ４は、磁性体１０（図中塗りつぶした領域）を複数の窓を有する形状に加工する。この窓は、例えば、図５に示すように、幅がｄ２で長さがＬとなるようにする。ただし、窓の幅は、全ての窓で同一となる必要はない。また、磁性体１０のうち、図５中でｄ１、ｄ３で示される部分の幅は、同じ大きさであってもよく、異なる大きさであってもよい。
【００４１】
この磁性体タグ４も、磁性体１０の切断等による磁気的な分離で、複数ビットの情報を表現することができる。磁性体１０の切断は、図６に示す直線ＡＢや図７に示す直線ＣＤの位置で行うことで、容易に複数の特性を有する磁性体タグを生成することができる。もちろん、切断は、任意の位置、例えば、図７に破線で示した位置で行ってもよい。
【００４２】
例えば、図６に示す直線ＡＢの位置で磁性体１０を切断した場合、図中左上を原点としたＸ座標ｄ３＋Ｌａ上にＡ点とＢ点があったとすれば、切断により、長さがＬａのタグを７個、長さがＬ−Ｌａのタグを７個、長さがＬのタグを４個有する磁性体タグが生成されることとなる。
【００４３】
また、磁性体タグ４は、磁性体１０の形状のため、切断を行っても磁性体がばらばらとなる可能性は低い。
【００４４】
また、磁性体タグ４は、上述の磁性体タグ１等と同様に、キュリー点以上の温度への加熱や硬磁性体の付着により、磁歪特性等を喪失させて、磁性体１０の磁気的な分離を行うことができる。この場合には、図８に示す特性喪失部分１０Ｂのように、一定の幅で磁歪特性等を喪失させることができる。このため、特性喪失部分１０Ｂの幅を部分的に変えることで表現可能な情報の範囲（ビット数）をより大きくすることができる。これは、上述のように、磁性体１０を切断した場合には、切断により生成されるタグの長さは、ＬａとＬ−Ｌａのようにその和がＬとなるが、特性喪失部分１０Ｂのように一定の幅で磁歪特性等を喪失させた場合には、生成されるタグの長さをより自由に設定できるからである。
【００４５】
なお、磁性体タグによる表現可能な情報の範囲を大きくする方法としては、図９に示すように、磁性体タグ４を複数組み合わせた形状の磁性体タグを生成したり、図１０に示すように磁性体タグ４を複数組み合わせる場合に、その一部を回転させた形状の磁性体タグを生成するようにすればよい。
【００４６】
また、磁性体タグ４と同様の磁性体タグとしては、図１１に示す磁性体タグ５のように、分離線１６を付し、装置や人手による磁性体１０の磁気的な分離を補助するような構成のものや、図１２に示す磁性体タグ６のように、マーク１７を付し、マーク１７を装置により磁性体１０の磁気的な分離を行う際の座標特定に利用することができるようにした構成のものもある。この他にも、図１３に示す磁性体タグ７のように、磁性体１０を非磁性体の支持体と積層する際に、領域１８部分のみを接着するようにし、磁性体１０の磁歪振動の減衰を防止するようにした構成のものもある。
【００４７】
【発明の効果】
以上説明したように、この発明によれば、磁歪振動効果若しくは大バルクハウゼン効果を起こす磁性体を含む磁性体タグを生成し、この磁性体を任意の位置で磁気的に分離するように構成したので、容易な処理で複数ビットの情報を表現することのできる磁性体タグを生成することができる。
【図面の簡単な説明】
【図１】この発明を適用した磁性体タグを示した図である。
【図２】磁性体１０の磁気的な分離を説明するための図（１）である。
【図３】磁性体１０の磁気的な分離を説明するための図（１）である。
【図４】磁性体を予め所定の形状に加工した磁性体タグを示した図（１）である。
【図５】磁性体を予め所定の形状に加工した磁性体タグを示した図（２）である。
【図６】磁性体タグ４における磁性体の磁気的な分離例を示した図（１）である。
【図７】磁性体タグ４における磁性体の磁気的な分離例を示した図（２）である。
【図８】磁性体タグ４における磁性体の磁気的な分離例を示した図（３）である。
【図９】磁性体タグ４を複数組み合わせた形状の磁性体タグを示した図（１）である。
【図１０】磁性体タグ４を複数組み合わせた形状の磁性体タグを示した図（２）である。
【図１１】磁性体タグ４を応用した磁性体タグの構成例を示した図（１）である。
【図１２】磁性体タグ４を応用した磁性体タグの構成例を示した図（２）である。
【図１３】磁性体タグ４を応用した磁性体タグの構成例を示した図（３）である。
【符号の説明】
１    磁性体タグ
２    磁性体タグ
３    磁性体タグ
４    磁性体タグ
５    磁性体タグ
６    磁性体タグ
７    磁性体タグ
１０    磁性体
１０Ａ    特性喪失部分
１０Ｂ    特性喪失部分
１１    支持体
１２    分離線
１３−１〜１３−９    領域
１４    保護層
１５    硬磁性体
１６    分離線
１７    マーク
１８    領域
【図１】
2004288006.tif 000003
【図２】
2004288006.tif 000004
【図３】
2004288006.tif 000005
【図４】
2004288006.tif 000006
【図５】
2004288006.tif 000007
【図６】
2004288006.tif 000008
【図７】
2004288006.tif 000009
【図８】
2004288006.tif 000010
【図９】
2004288006.tif 000011
【図１０】
2004288006.tif 000012
【図１１】
2004288006.tif 000013
【図１２】
2004288006.tif 000014
【図１３】
2004288006.tif 000015